(57)【要約】【課題】副画面に表示するコンテンツに対する視聴欲求を増大させ、複数搭載されたチューナを有効的に活用する。【解決手段】複数のチューナ各々で受信される情報をそれぞれ出力する情報処理装置であって、複数のチューナのうち、一のチューナを用いて受信される情報を表示する一の表示手段、複数のチューナのうち、一のチューナを除く他の複数のチューナを用いて受信される複数の情報をそれぞれ表示する他の表示手段、一の表示手段に表示される情報と、他の表示手段に表示される複数の情報とを出力する手段、ネットワーク経由でサーバ装置に送信された複数の情報に関連する関連コメントの数を集計し、他の表示手段に表示させる複数の情報として、関連コメントの数の最も多いものから降順に選択する手段、を含む。【選択図】図４
2014236331.tif 000002
【特許請求の範囲】
【請求項１】
複数のチューナ各々で受信される情報をそれぞれ出力する情報処理装置であって、
前記複数のチューナのうち、一のチューナを用いて受信される情報を表示する一の表示手段と、
前記複数のチューナのうち、前記一のチューナを除く他の複数のチューナを用いて受信される複数の情報をそれぞれ表示する他の表示手段と、
前記一の表示手段に表示される前記情報と、前記他の表示手段に表示される前記複数の情報とを出力する手段と、
ネットワーク経由でサーバ装置に送信された前記複数の情報に関連する関連コメントの数を集計し、前記他の表示手段に表示させる前記複数の情報として、前記関連コメントの数の最も多いものから降順に選択する手段と、
を含むことを特徴とする情報処理装置。
【請求項２】
前記選択する手段の集計する関連コメントが、前記複数の情報を視聴するユーザによって作成された反応コメントであることを特徴とする請求項１に記載の情報処理装置。
【請求項３】
前記選択する手段の集計する関連コメントが、前記複数の情報を視聴するユーザによって作成された反応コメントを閲覧するユーザによって作成される応答コメントであることを特徴とする請求項１に記載の情報処理装置。
【請求項４】
前記一の表示手段に表示される前記情報は、ユーザによって明示的選択された情報であり、前記他の表示手段に表示される前記複数の情報は、ユーザによって明示的に選択されていない情報であることを特徴とする請求項１から３の何れか１項に記載の情報処理装置。
【請求項５】
複数のチューナ各々で受信される情報をそれぞれ出力する情報処理装置の制御方法であって、
一の表示手段が、前記複数のチューナのうち、一のチューナを用いて受信される情報を表示する工程と、
他の表示手段が、前記複数のチューナのうち、前記一のチューナを除く他の複数のチューナを用いて受信される複数の情報をそれぞれ表示する工程と、
前記一の表示手段に表示される前記情報と、前記他の表示手段に表示される前記複数の情報とを出力する工程と、
ネットワーク経由でサーバ装置に送信された前記複数の情報に関連する関連コメントの数を集計し、前記他の表示手段に表示させる前記複数の情報として、前記関連コメントの数の最も多いものから降順に選択する工程と、
を含むことを特徴とする制御方法。
【請求項６】
複数のチューナ各々で受信される情報をそれぞれ出力する情報処理装置のコンピュータに、
一の表示手段が、前記複数のチューナのうち、一のチューナを用いて受信される情報を表示する処理と、
他の表示手段が、前記複数のチューナのうち、前記一のチューナを除く他の複数のチューナを用いて受信される複数の情報をそれぞれ表示する処理と、
前記一の表示手段に表示される前記情報と、前記他の表示手段に表示される前記複数の情報とを出力する処理と、
ネットワーク経由でサーバ装置に送信された前記複数の情報に関連する関連コメントの数を集計し、前記他の表示手段に表示させる前記複数の情報として、前記関連コメントの数の最も多いものから降順に選択する処理と、
を実現させるためのプログラム。
【発明の詳細な説明】
【技術分野】
【０００１】
本発明は、情報処理装置、制御方法、及びプログラムに関する。
【背景技術】
【０００２】
近年、地上デジタル放送サービスや、ＢＳ（Broadcasting Satellite）、ＣＳ（Communications Satellite）デジタル放送サービスの開始に伴い、テレビの多チャンネル化が目覚ましい。そして、これらすべての放送サービスに対応することが可能な、テレビジョン受信機、録画再生機、及びパーソナルコンピュータに代表される情報処理装置も普及している。
【０００３】
ユーザにとって興味関心が高い複数のテレビ番組が同じ時間帯に複数の放送局から放送される場合、あるテレビ番組についてはそのまま視聴すると共に、裏番組については後日視聴するために録画しておくのであるが、そのためには、上記放送サービスを同一時間帯に受信可能な複数のチューナを搭載している必要がある。
【０００４】
ユーザは、このような放送サービスによって放送される番組、放送されたコンテンツを録画した番組、又はインターネット上のサーバに不特定多数のユーザが投稿し、共有し、視聴できる動画サービス等（以下、これらを纏めて「コンテンツ」ともいう。）といった、多数の選択肢の中から、自分の興味関心が高いカテゴリに属するコンテンツの視聴を行うことが可能である。
【０００５】
また、あるチャンネルのテレビ番組を視聴しているとき、自分が視聴しているテレビ番組は勿論のこと、同じ時間帯に放送されている他のチャンネルのテレビ番組に対して、リアルタイムで視聴者が「ツイート」（Tweet）と称される短文を投稿し、閲覧できるコミュニケーション・サービスも爆発的に増加しており、この投稿される「ツイート」（Tweet）を閲覧することにより、現時点で視聴しているテレビ番組に関する情報や、裏番組に関する情報をリアルタイムで入手することもできる。
【０００６】
特許文献１には、複数のチューナを搭載したテレビジョン受信機であって、ユーザが視聴しているテレビ番組を主画面、それ以外のテレビ番組で視聴率が高い複数の番組を、それぞれ複数の副画面に表示し、ユーザは、主画面に表示されるテレビ番組を視聴しながら、副画面に表示されたテレビ番組の中から視聴を希望するテレビ番組を選局することが可能な技術が開示されている。
【先行技術文献】
【特許文献】
【０００７】
【特許文献１】特開平１１−２２０６６７号公報
【発明の概要】
【発明が解決しようとする課題】
【０００８】
投稿される「ツイート」（Tweet）を閲覧することにより、自分が視聴しているチャンネル以外の他のチャンネルで、同一時間帯にどのようなテレビ番組が放送されているかといったおおよその情報を得ることは可能である。しかしながら、閲覧しているのは文字情報に過ぎないので、画面にどのような映像が表示されているかについては、チャンネルを変えない限り知ることができないという課題がある。
【０００９】
また、特許文献１に記載された技術は、自分が視聴しているチャンネル以外の他のチャンネルのうち、同一時間帯において単純に視聴率が高いテレビ番組を副画面に表示しているに過ぎない。したがって、ある特定の時間帯において他のテレビ番組と比較して視聴率が高いからといって、世間一般において話題性の高いテレビ番組であるとは言い切れない。
【００１０】
そうすると、副画面を見たユーザが、副画面に表示されている視聴率の高い他のチャンネルの番組を是非見たいといった欲求に駆られることも、見ないと世間の話題についていけなくなるといった焦りを感じることもないのであるから、視聴しているテレビ番組以外の番組を受信するために搭載されている複数のチューナが、有効的に活用されていないという課題がある。
【００１１】
そこで本発明は、上記従来の問題点に鑑みてなされたもので、副画面に表示するコンテンツに対する視聴欲求を増大させ、複数搭載されたチューナを有効的に活用することが可能な情報処理装置、制御方法、及びプログラムを提供することを目的とする。
【課題を解決するための手段】
【００１２】
上記課題を解決するため、請求項１に記載の本発明における情報処理装置は、複数のチューナ各々で受信される情報をそれぞれ出力する情報処理装置であって、前記複数のチューナのうち、一のチューナを用いて受信される情報を表示する一の表示手段と、前記複数のチューナのうち、前記一のチューナを除く他の複数のチューナを用いて受信される複数の情報をそれぞれ表示する他の表示手段と、前記一の表示手段に表示される前記情報と、前記他の表示手段に表示される前記複数の情報とを出力する手段と、ネットワーク経由でサーバ装置に送信された前記複数の情報に関連する関連コメントの数を集計し、前記他の表示手段に表示させる前記複数の情報として、前記関連コメントの数の最も多いものから降順に選択する手段と、を含むことを特徴とする。
【００１３】
また、本発明における情報処理装置は、請求項１に記載の情報処理装置において、前記選択する手段の集計する関連コメントが、前記複数の情報を視聴するユーザによって作成された反応コメントであることを特徴とする。
【００１４】
さらに、本発明における情報処理装置は、請求項１に記載の情報処理装置において、前記選択する手段の集計する関連コメントが、前記複数の情報を視聴するユーザによって作成された反応コメントを閲覧するユーザによって作成される応答コメントであることを特徴とする。
【００１５】
また、本発明における情報処理装置は、請求項１から３の何れか１項に記載の情報処理装置において、前記一の表示手段に表示される前記情報は、ユーザによって明示的選択された情報であり、前記他の表示手段に表示される前記複数の情報は、ユーザによって明示的に選択されていない情報であることを特徴とする。
【００１６】
そして、上記課題を解決するため、請求項５に記載の本発明における情報処理装置の制御方法は、複数のチューナ各々で受信される情報をそれぞれ出力する情報処理装置の制御方法であって、一の表示手段が、前記複数のチューナのうち、一のチューナを用いて受信される情報を表示する工程と、他の表示手段が、前記複数のチューナのうち、前記一のチューナを除く他の複数のチューナを用いて受信される複数の情報をそれぞれ表示する工程と、前記一の表示手段に表示される前記情報と、前記他の表示手段に表示される前記複数の情報とを出力する工程と、ネットワーク経由でサーバ装置に送信された前記複数の情報に関連する関連コメントの数を集計し、前記他の表示手段に表示させる前記複数の情報として、前記関連コメントの数の最も多いものから降順に選択する工程と、を含むことを特徴とする。
【００１７】
また、上記課題を解決するために、請求項６に記載の本発明におけるプログラムは、複数のチューナ各々で受信される情報をそれぞれ出力する情報処理装置のコンピュータに、一の表示手段が、前記複数のチューナのうち、一のチューナを用いて受信される情報を表示する処理と、他の表示手段が、前記複数のチューナのうち、前記一のチューナを除く他の複数のチューナを用いて受信される複数の情報をそれぞれ表示する処理と、前記一の表示手段に表示される前記情報と、前記他の表示手段に表示される前記複数の情報とを出力する処理と、ネットワーク経由でサーバ装置に送信された前記複数の情報に関連する関連コメントの数を集計し、前記他の表示手段に表示させる前記複数の情報として、前記関連コメントの数の最も多いものから降順に選択する処理と、を実現させることを特徴とする。
【発明の効果】
【００１８】
本発明によれば、副画面に表示するコンテンツに対する視聴欲求を増大させ、複数搭載されたチューナを有効的に活用することが可能な情報処理装置、制御方法、及びプログラムが得られる。
【図面の簡単な説明】
【００１９】
【図１】本発明の実施形態における情報処理装置を含む情報処理システムの全体構成を示す構成図である。
【図２】本発明の実施形態における情報処理装置の構成について説明する概略ブロック図である。
【図３】本発明の実施形態における情報処理装置の構成について説明する機能ブロック図である。
【図４】本発明の実施形態における情報処理装置の画面表示例を示す図である。
【図５】本発明の実施形態における情報処理装置の動作について説明するフローチャートである。
【発明を実施するための形態】
【００２０】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、複数のチューナ各々で受信される情報をそれぞれ出力する情報処理装置であって、複数のチューナのうち、一のチューナを用いて受信される情報を表示する一の表示手段と、複数のチューナのうち、一のチューナを除く他の複数のチューナを用いて受信される複数の情報をそれぞれ表示する他の表示手段と、一の表示手段に表示される情報と、他の表示手段に表示される複数の情報とを出力する手段と、ネットワーク経由でサーバ装置に送信された複数の情報に関連する関連コメントの数を集計し、他の表示手段に表示させる複数の情報として、関連コメントの数の最も多いものから降順に選択する手段と、を含むことにより、副画面に表示するコンテンツに対する視聴欲求を増大させ、複数搭載されたチューナを有効的に活用することができるのである。
【００２１】
まず、図１を用いて本発明の実施形態における情報処理装置を含む情報処理システムの全体構成について説明する。図１は、本発明の実施形態における情報処理装置を含む情報処理システムの全体構成を示す構成図である。図１を参照すると、本発明の実施形態における情報処理装置１００を含む情報処理システム１０は、例えば、パーソナルコンピュータ（ＰＣ）を代表とする情報処理装置１００、２００、３００、及び携帯情報端末４００は、一般公衆が広く利用可能なネットワーク網であるインターネット６００を介してtwitter（ツイッター）（登録商標）サーバ７００に接続され、互いにデータのやり取りを行っている。なお、公衆ネットワーク網６００に代えて、所謂ストレージサーバや自社サーバのようなものを用いても良い。
【００２２】
また、情報処理装置１００、２００、３００、及び携帯情報端末４００は、図示しないサーバに格納されている動画コンテンツ等を、ネットワーク網６００を介してダウンロードすることができる。さらに、情報処理装置１００、及び２００は、テレビ局等の放送局５００から送信される放送波を受信して、テレビ番組等を視聴することもできる。なお、情報処理装置には、ＰＣ１００、２００、３００以外にスマートフォン等の携帯情報端末４００も含まれることは勿論である。
【００２３】
次に、図２を参照して、本発明に実施形態における情報処理装置の構成について説明する。図２は、本発明の実施形態における情報処理装置の構成について説明する概略ブロック図である。
【００２４】
図２において、本発明の実施形態における情報処理装置（以下、パーソナルコンピュータ（ＰＣ）ともいう。）１００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９とから構成される。
【００２５】
ＴＶチューナ部２０１は、地上デジタル、ＢＳ、及びＣＳ放送をアンテナから受信し復調するものである。ネットワーク接続部２０５は、インターネットに代表されるネットワーク網６００（図１）に接続され、ネットワーク網６００とのインタフェースを図るものである。ＣＰＵ２０６は、ＰＣ１００全体の動作を制御するものであり、ＲＯＭ２０２に格納された制御プログラムをロードし、ＰＣ１００の動作によって得られた様々なデータをＲＡＭ２０３に展開するものである。ＨＤＤ２０４は、ＰＣ１００のアプリケーションソフトウェアを格納したり、ＴＶチューナ部２０１によって受信されたテレビ番組を録画したりするものである。
【００２６】
表示部２０７は、ＬＣＤ（Liquid Crystal Display）等で構成される表示画面であり、ＰＣ１００によって実行されたアプリケーションの結果やＴＶチューナ部２０１によって受信されたテレビ番組を表示するものである。入力部２０８は、キーボード、マウス、タッチパネル等、ユーザがＰＣ１００に対して指示を与えるものである。そして、電源部２０９は、ＰＣ１００に対してＡＣ（Alternative Current：交流）又はＤＣ（Direct Current：直流）電源を与えるものである。
【００２７】
次に、図３を参照して、本発明に実施形態における情報処理装置の構成について説明する。図３は、本発明の実施形態における情報処理装置の構成について説明する機能ブロック図である。図３において、情報処理装置１００は、放送局５００（図１）から送信される放送波を受信するチューナ部３０１、３０２、３０３、及び３０４と、チューナ部３０１、３０２、３０３、及び３０４により復調された番組（コンテンツ）を記録・再生するコンテンツ記録再生部３０５と、放送局５００から送信される電波の隙間を使って送信される電子番組ガイド（ＥＰＧ：Electronic Program Guide）を管理するＥＰＧ情報管理部３１１と、液晶（ＬＣＤ：Liquid Crystal Display）等のディスプレイ３１２に番組を表示する動画表示処理部３０６と、を含んで構成されている。なお、図３では、放送局５００から送信される放送波を受信するチューナ部の数を４個としているが、このチューナ部の個数は任意の値とすることが可能である。
【００２８】
さらに、情報処理装置１００は、twitter（ツイッター）サーバ７００やＷｅｂ掲示板にネットワーク網６００（図１）を介して接続するためのネットワーク接続処理部３１０と、情報処理装置１００を用いて番組を視聴しているユーザによって投稿されたコメントのみならず、現在番組を視聴してないが、twitter（ツイッター）に投稿されたコメントや、Ｗｅｂ掲示板に投稿されたコメントを、ＥＰＧ情報管理部３１１から入力される電子番組ガイド情報に基づいて放送局毎に仕分処理すると共に、所定時間おきに放送局毎に分けて集計処理する関連情報取得記録部３０９と、動画表示処理部３０６によって処理される動画情報に基づいて映像を解析し、番組の場面情報を関連情報表示部３０８に出力する映像解析処理部３０７と、映像解析処理部３０７、及び関連情報取得記録部３０９から得られる情報に基づいて、ディスプレイ３１２に対してツイート（Tweet）数が多い番組を表示するための関連情報表示部３０８と、を含んで構成されている。
【００２９】
なお、図３には、ディスプレイ３１２は１つしか記載されていないが、後述するように、ユーザが現在視聴している番組を表示する主表示部と、ユーザが現在視聴していないが、関連情報取得記録部３０９によって取得された、視聴チャンネル以外の他のチャンネルのうち、ツィート（Tweet）数が多い番組を表示する副表示部とに区分されている。
【００３０】
次に、本発明の実施形態における情報処理装置の画面表示例について説明する。図４は、本発明の実施形態における情報処理装置の画面表示例を示す図である。
【００３１】
図４において、ディスプレイ３１２は、主画面領域４０１と、副画面１領域４０２と、副画面２領域４０３と、副画面３領域４０４と、及びその他の領域４０５とで構成されている。ディスプレイ３１２には、現在放送中の４つのテレビ番組を１つのディスプレイ３１２内に表示する。主画面領域４０１は、ユーザが主に視聴するために選択したテレビ番組を表示する。情報処理装置１００の音声は主画面領域４０１のテレビ番組の音声を出力する。また、リモコン３１３（図３）からの操作は、主画面領域４０１に対して適用される。なお、その他の領域４０５には、画面表示に付随するアイコンや、主画面領域４０１に表示されるテレビ番組に関連する情報等が表示されるようにしても良い。また、図４においては、主画面領域４０１の表示面積は、副画面１領域４０２、副画面領域４０３、及び副画面領域４０４の表示面積と比較して広く形成されているが、主画面領域４０１の表示面積と、副画面１領域４０２、副画面領域４０３、及び副画面領域４０４の表示面積とは、任意の面積比率に設定することが可能である。
【００３２】
副画面１領域４０２から副画面３領域４０４には、ユーザが主画面領域４０１に表示されたテレビ番組のついでに視聴可能なテレビ番組が、ユーザの選択によらずに表示される。副画面１領域４０２から副画面３領域４０４に表示される画面は、例えば、ユーザが視聴しているチャンネル以外のチャンネルに対するtwitter（ツイッター）のつぶやき量（Tweet数）が多い番組（反応コメントの数が多い番組）、すなわち、盛り上がり度が高い上位３番組を順に副画面１領域４０２から副画面３領域４０４に表示させること等が考えられる。
【００３３】
なお、例えば、盛り上がり度が高い上位３番組を順に副画面１領域４０２から副画面３領域４０４に表示していても、リモコン３１３（図３）を用いて予約録画が開始されたら、盛り上がりとは関係なく、予約録画がなされた番組を副画面領域に表示させても良いし、予約録画がなされた段階で副画面領域を空白表示にする等、様々な表示の仕方がある。また、副画面１領域４０２から副画面３領域４０４に表示させる番組として、ユーザが視聴しているチャンネル以外のチャンネルを視聴する他のユーザによって作成されるtwitter（ツイッター）のつぶやき量（Tweet数）（反応コメントの数）と、ユーザが視聴しているチャンネル以外のチャンネルを視聴せずに、ユーザが視聴しているチャンネル以外のチャンネルを視聴する他のユーザによって作成されるtwitter（ツイッター）のつぶやき（反応コメント）を閲覧する他のユーザによって作成されるtwitter（ツイッター）のつぶやき量（Tweet数）（応答コメントの数）の合計数が多い上位３番組を選択するようにしても良い。これにより、ユーザは煩雑な操作を要することなく、世の中で話題となっている番組を視聴することができる。
【００３４】
次に、本発明の実施形態における情報処理装置の動作について説明する。図５は、本発明の実施形態における情報処理装置の動作について説明するフローチャートである。なお、このフローチャートは、副画面１領域４０２から副画面３領域４０４に、ユーザが視聴しているチャンネル以外のチャンネルに対するtwitter（ツイッター）のつぶやき量（Tweet数）（関連コメントの数）が多い番組、すなわち、盛り上がり度が高い上位３番組を順に表示させる場合の動作である。
【００３５】
図５において、ステップ（以下、「Ｓ」という。）５０１において、ユーザがコンテンツ視聴中であるか否かが判断される。コンテンツ視聴中でないとき（Ｓ５０１：ＮＯ）は、そのまま処理を終了する。コンテンツ視聴中であるとき（Ｓ５０１：ＹＥＳ）は、Ｓ５０２において、多画面設定であるか否かが判断される。
【００３６】
多画面設定でないとき（Ｓ５０２：ＮＯ）は、Ｓ５０３へ移行し、ディスプレイ３１２のすべての画面にコンテンツが表示される。多画面設定であるとき（Ｓ５０２：ＹＥＳ）は、Ｓ５０４へ移行し、主画面領域４０１に視聴を選択されたコンテンツを表示し、インターネットから関連情報を取得する。ここで取得される関連情報は、twitter（ツイッター）サーバ７００（図１）から、ユーザが視聴しているチャンネル以外のチャンネルに対するtwitter（ツイッター）のつぶやき（Tweet）に関する情報である。
【００３７】
Ｓ５０５において、取得された関連情報に基づいて取得されたコンテンツ、すなわち、ユーザが視聴しているチャンネル以外のチャンネルに対するtwitter（ツイッター）のつぶやき量（Tweet数）が多い番組、すなわち、盛り上がり度が高い上位３番組のコンテンツを集計処理し、副画面１領域４０２から副画面３領域４０４に表示する。
【００３８】
Ｓ５０６において、関連情報が変化したか否かが判断される。関連情報の変化とは、この場合、ユーザが視聴しているチャンネル以外のチャンネルに対するtwitter（ツイッター）のつぶやき量（Tweet数）の変化である。ここで、twitter（ツイッター）のつぶやき量（Tweet数）の変化について若干説明する。
【００３９】
twitter（ツイッター）のつぶやき量（Tweet数）の変化に基づく副画面１領域４０２から副画面３領域４０４に表示させる番組（画面表示）の切り換えタイミングは、技術的な制約は勿論のこと、ユーザが視聴していて違和感を抱かないように配慮したタイミングとすることが重要である。例えば、つぶやき量（Tweet数）で画面を切り換える場合を例にすると、つぶやき量（Tweet数）を把握するために、twitter（ツイッター）サーバ７００にアクセスする必要がある。そして、一定の時間内にtwitter（ツイッター）サーバ７００にアクセスして良い回数の上限は定められており、技術的な制約を受ける。そのため、例えば、５分単位でつぶやき量（Tweet数）を集計することが考えられる。
【００４０】
副画面１領域４０２から副画面３領域４０４に表示される画面が、例えば１秒毎に切り換わると、ユーザはかなりの違和感を覚えると考えられるが、５分毎ならユーザは違和感を殆ど覚えないものと考えられるので、例えば、５分単位で、副画面１領域４０２から副画面３領域４０４に表示される番組（画面表示）が切り換わるようにすれば良い。
【００４１】
図５に戻り、Ｓ５０６において、関連情報が変化したとき（Ｓ５０６：ＹＥＳ）は、Ｓ５０４の処理へ戻り、再度インターネットから関連情報を取得する。関連情報が変化しないとき（Ｓ５０６：ＮＯ）は、Ｓ５０７へ移行し、関連情報に基づいて取得されたコンテンツを副画面１領域４０２から副画面３領域４０４に継続して表示する。この例の場合は、ユーザが視聴しているチャンネル以外のチャンネルに対するtwitter（ツイッター）のつぶやき量（Tweet数）（関連コメントの数）が多い番組、すなわち、盛り上がり度が高い上位３番組のコンテンツを集計処理し、副画面１領域４０２から副画面３領域４０４に継続して表示する。
【００４２】
Ｓ５０８において、副画面領域のコンテンツが選択されたか否かが判断される。副画面領域のコンテンツが選択されないとき（Ｓ５０８：ＮＯ）は、Ｓ５１０へ移行する。副画面領域のコンテンツが選択されたとき（Ｓ５０８：ＹＥＳ）は、当該選択されたコンテンツを主画面領域４０１に表示すると共に、空いた副画面領域に他のコンテンツ、例えば、ユーザが今まで視聴していた番組や、ユーザが今まで視聴しているチャンネル以外のチャンネルに対するtwitter（ツイッター）のつぶやき量（Tweet数）が４番目に多いと集計された番組を表示するようにしても良い。
【００４３】
Ｓ５１０において、コンテンツの視聴が終了したか否かが判断される。コンテンツの視聴が終了していないとき（Ｓ５１０：ＮＯ）は、Ｓ５０２の処理へ戻る。コンテンツの視聴が終了したとき（Ｓ５１０：ＹＥＳ）は、処理を終了する。
【００４４】
なお、図５に示した本発明の実施形態における情報処理装置１００を構成する各機能ブロックの各動作は、コンピュータ上のプログラムに実行させることもできる。すなわち、情報処理装置１００のＣＰＵ２０６が、ＲＯＭ２０２、ＲＡＭ２０３等から構成される記憶部に格納されたプログラムをロードし、プログラムの各処理ステップが順次実行されることによって行われる。
【００４５】
以上説明してきたように、本発明によれば、複数のチューナ各々で受信される情報をそれぞれ出力する情報処理装置であって、複数のチューナのうち、一のチューナを用いて受信される情報を表示する一の表示手段と、複数のチューナのうち、一のチューナを除く他の複数のチューナを用いて受信される複数の情報をそれぞれ表示する他の表示手段と、一の表示手段に表示される情報と、他の表示手段に表示される複数の情報とを出力する手段と、ネットワーク経由でサーバ装置に送信された複数の情報に関連する関連コメントの数を集計し、他の表示手段に表示させる複数の情報として、関連コメントの数の最も多いものから降順に選択する手段と、を含むことにより、副画面に表示するコンテンツに対する視聴欲求を増大させ、複数搭載されたチューナを有効的に活用することができるのである。
【００４６】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４７】
１０    情報処理システム
１００、２００、３００    情報処理装置
２０１    ＴＶチューナ部
２０２    ＲＯＭ
２０３    ＲＡＭ
２０４    ＨＤＤ
２０５    ネットワーク接続部
２０６    ＣＰＵ
２０７    表示部
２０８    入力部
２０９    電源部
３０１、３０２、３０３、３０４    チューナ部
３０５    コンテンツ記録再生部
３０６    動画表示処理部
３０７    映像解析処理部
３０８    関連情報表示部
３０９    関連情報取得記録部
３１０    ネットワーク接続処理部
３１１    ＥＰＧ情報管理部
３１２    ディスプレイ
３１３    リモコン
４００    携帯情報端末
４０１    主画面領域
４０２、４０３、４０４    副画面領域
５００    放送局
６００    ネットワーク網
７００    twitter（ツイッター）サーバ
【図１】
2014236331.tif 000003
【図２】
2014236331.tif 000004
【図３】
2014236331.tif 000005
【図４】
2014236331.tif 000006
【図５】
2014236331.tif 000007